(57)【特許請求の範囲】
【請求項１】
回転支持軸に複数の円盤状の布製洗浄体を取り付けた洗浄ブラシを備え、その洗浄ブラシを被洗浄車両の車体面に沿って進行させながら前記回転支持軸の回転軸線回りに回転させて、該車体面を前記布製洗浄体でブラッシング洗浄できるようにした洗車機において、
前記布製洗浄体に、弾性を有して円盤状に形成される発泡体製洗浄体を隣接配置し、この発泡体製洗浄体の弾力により、前記車体面に対する前記布製洗浄体の、洗浄ブラシ進行方向に向かって前記回転支持軸の軸方向一方側及び他方側への斜め方向の擦り移動を助勢するとともに、この発泡体製洗浄体に内周から外周に亘る切り込みを形成したことを特徴とする、洗車機。
【請求項２】
回転支持軸に複数の円盤状の布製洗浄体を該回転支持軸の回転軸線に対し傾斜させて取り付けた洗浄ブラシを備え、その洗浄ブラシを被洗浄車両の車体面に沿って進行させながら前記回転支持軸の回転軸線回りに回転させて、該車体面を前記布製洗浄体でブラッシング洗浄できるようにした洗車機において、
前記布製洗浄体に、弾性を有して前記布製洗浄体より小径の円盤状に形成され、且つ外周端が洗浄ブラシの車体との接触部まで延出する発泡体製洗浄体を隣接配置し、この発泡体製洗浄体の弾力により、前記車体面に対する前記布製洗浄体の、洗浄ブラシ進行方向に向かって前記回転支持軸の軸方向一方側及び他方側への斜め方向の擦り移動を助勢することを特徴とする、洗車機。
【請求項３】
前記発泡体製洗浄体は、隣り合う前記布製洗浄体の間に挟まれることを特徴とする、請求項１又は２に記載の洗車機。
【発明の詳細な説明】
【技術分野】
【０００１】
本発明は、自動車などの被洗浄車両の車体面に洗浄体を回転させつつ追従接触させて車体面を洗浄するようにした洗車機に関する。
【背景技術】
【０００２】
従来、回転支持軸に、複数の円盤状の布製洗浄体を前記回転支持軸の回転軸線に対して傾斜させて取り付けた洗浄ブラシを備えた洗車機は、特許文献１，２に記載されているように公知である。また、特許文献３には、ブラシ軸（回転支持軸）に、布製ブラシ単体２５（布製洗浄体）とスポンジ製単体２７とが、ブラシ軸心の方向で交互に配置された洗浄ブラシを備えた洗車機が記載されている。
【先行技術文献】
【特許文献】
【０００３】
【特許文献１】特開平８−２８２４５１号公報
【特許文献２】特開２００８−１８９０１１号公報
【特許文献３】特開２００３−４８５２０号公報
【発明の概要】
【発明が解決しようとする課題】
【０００４】
ところで、前記特許文献１，２の洗車機のように、回転支持軸に、複数の円盤状の布製洗浄体を前記回転支持軸の回転軸線に対して傾斜させて取り付けると、車体面に対し布製洗浄体を、洗浄ブラシ進行方向に向かって回転支持軸の軸方向一方側及び他方側への斜め方向の擦り移動をさせることができ、その擦り移動により洗浄効果を向上させることができる利点がある。
【０００５】
しかしながら布製洗浄体は、使用するに従って（即ち、同一の布製洗浄体で洗浄する洗車台数が多くなるに従って）布製洗浄体の先端側の腰、即ち弾力が弱くなって、洗浄ブラシの被洗浄車両に対する進行方向に対して布製洗浄体が前記擦り移動する方向の角度（α）が小さくなり、洗浄効果が低下する、という問題があった。
【０００６】
また、前記特許文献３の洗車機には、ブラシ軸に、布製ブラシ単体とスポンジ製単体とがブラシ軸心の方向で交互に配置されているが、車体面に対し布製洗浄体を、洗浄ブラシの進行方向に向かって回転支持軸の軸方向一方側及び他方側への斜め方向の擦り移動をさせる構成を元々、備えていない。
【０００７】
本発明はかかる結果なされたものであり、洗車台数の増加に従って布製洗浄体の腰、即ち弾力が減少して、洗浄ブラシの進行方向に対して布製洗浄体が前記擦り移動する方向の角度（α）が小さくなり洗浄効果が低下する前記問題を低減可能とした新規な洗車機を提供することを目的とする。
【課題を解決するための手段】
【０００８】
前記目的達成のため、請求項１記載の発明は、回転支持軸に複数の円盤状の布製洗浄体を取り付けた洗浄ブラシを備え、その洗浄ブラシを被洗浄車両の車体面に沿って進行させながら前記回転支持軸の回転軸線回りに回転させて、該車体面を前記布製洗浄体でブラッシング洗浄できるようにした洗車機において、前記布製洗浄体に、弾性を有して円盤状に形成される発泡体製洗浄体を隣接配置し、この発泡体製洗浄体の弾力により、前記車体面に対する前記布製洗浄体の、洗浄ブラシ進行方向に向かって前記回転支持軸の軸方向一方側及び他方側への斜め方向の擦り移動を助勢するとともに、この発泡体製洗浄体に内周から外周に亘る切り込みを形成したことを特徴とし、また請求項２の発明は、回転支持軸に複数の円盤状の布製洗浄体を該回転支持軸の回転軸線に対し傾斜させて取り付けた洗浄ブラシを備え、その洗浄ブラシを被洗浄車両の車体面に沿って進行させながら前記回転支持軸の回転軸線回りに回転させて、該車体面を前記布製洗浄体でブラッシング洗浄できるようにした洗車機において、前記布製洗浄体に、弾性を有して前記布製洗浄体より小径の円盤状に形成され、且つ外周端が洗浄ブラシの車体との接触部まで延出する発泡体製洗浄体を隣接配置し、この発泡体製洗浄体の弾力により、前記車体面に対する前記布製洗浄体の、洗浄ブラシ進行方向に向かって前記回転支持軸の軸方向一方側及び他方側への斜め方向の擦り移動を助勢することを特徴とする。
【０００９】
さらに請求項３の発明は、請求項１又は２の発明の前記特徴に加えて、前記発泡体製洗浄体が、隣り合う前記布製洗浄体の間に挟まれることを特徴とする。
【発明の効果】
【００１０】
本発明によれば、発泡体製洗浄体の弾力により、車体面に対する布製洗浄体の、洗浄ブラシ進行方向に向かって回転支持軸の軸方向一方側及び他方側への斜め方向の擦り移動を助勢するので、洗車台数の増加に従って布製洗浄体の腰すなわち弾力が弱くなることで洗浄ブラシの進行方向に対して布製洗浄体が車体面上を斜め方向に擦り移動する方向の角度（α）が小さくなって洗浄効果が低下するという問題を、低減することができる。
【００１１】
また、発泡体製洗浄体の腰が弱くなったときには、内周から外周に亘る切り込みがあることで、発泡体製洗浄体を容易に新しいものに取り替えることができる。
【図面の簡単な説明】
【００１２】
【図１】本発明洗車機の全体側面図
【図２】図１の２−２線に沿う洗車機の平面図
【図３】図１の３−３線に沿う洗車機の後面図
【図４】図２の４矢視仮想線囲い部分の拡大詳細図
【図５】図１の５矢視仮想線囲い部分の拡大詳細図
【図６】洗浄体素材の側面図
【図７】第１の洗浄体の背面図
【図８】第２の洗浄体の正面図
【図９】図８の９−９線に沿う断面図
【図１０】芯材の正面図
【図１１】トップブラシによる自動車の洗浄過程を示す図
【図１２】トップブラシの、車体上面洗浄時の状態を示す模式図
【図１３】サイドブラシによる車体側面洗浄時の状態を示す模式図
【図１４】車体とブラシの干渉を説明する模式図
【図１５】移動方向ａ，ｂの作用を説明する第１の模式図
【図１６】移動方向ａ，ｂの作用を説明する第２の模式図
【図１７】トップブラシ（サイドブラシ）の進行方向に対する洗浄体の傾斜角を示す図
【発明を実施するための形態】
【００１３】
本発明の実施の形態を、添付図面に例示した本発明の実施例に基づいて以下に具体的に説明する。
【００１４】
先ず、図１〜３において、洗車機の洗車機本体１は、被洗浄車両としての自動車Ｖを跨ぎ得る、フレームとしての門型の走行フレーム２を備え、この走行フレーム２は、走行モータ３，３で駆動される左右一対の駆動輪４，４と左右一対の従動輪５，５により左右一対の走行レール６，６を往復走行する。一方の走行モータ３の出力軸には、洗車機本体１の走行位置を検出するロータリエンコーダ５１が設けられている。
【００１５】
走行フレーム２の上部には、その左右方向に延びる昇降駆動軸７が回転自在に支持され、この昇降駆動軸７の一端には、後述のトップブラシ１３の昇降位置を検出するロータリエンコーダ２８が設けられている。
【００１６】
また、走行フレーム２の左右側部には、上下方向に延びる左右一対のガイドレール８，８が一体に設けられている。ガイドレール８，８は横断面コ字状に形成されており、これらのガイドレール８，８には、このガイドレール８，８の内側壁で案内される２個のローラ９，９とガイドレール８，８の内奥壁で案内される１個のローラ１０とを有する左右一対の台車１１Ａ，１１Ｂがそれぞれ昇降できるように設けられている。
【００１７】
一対の台車１１Ａ，１１Ｂには、トップブラシ１３のトップブラシ支持軸１２の両端が固定されており、このトップブラシ支持軸１２には、後述するトップブラシ１３が回転自在に支持されている。そして、トップブラシ１３は、一対の台車１１Ａ，１１Ｂと共に左右一対のガイドレール８，８に案内される。
【００１８】
図２に示すように、走行フレーム２の一側上部には、昇降モータ１４が設けられている。昇降モータ１４の出力軸に固定したスプロケット１５と昇降駆動軸７に固定したスプロケット１６には無端状のチエン１７が巻き掛けられている。また、昇降駆動軸７の両端部には、スプロケット１８，１８が固定され、一方、走行フレーム２の左右下部には、これらのスプロケット１８，１８に対応する他のスプロケット１９，１９が回転自在に支持されており、これらのスプロケット１８，１８，１９，１９には、チエン２０，２０がそれぞれ巻き掛けられており、これらのチエン２０，２０の両端は、前記台車１１Ａ，１１Ｂの上下部にそれぞれ接続されている。
【００１９】
しかして、昇降モータ１４を駆動すると、左右一対の台車１１Ａ，１１Ｂは、案内レール８，８に案内されて同調、昇降される。
【００２０】
図２に示すように、トップブラシ１３（後に詳述）の、パイプよりなる回転支持軸２１は、トップブラシ支持軸１２に軸受を介して回転自在に支持されており、この回転支持軸２１の、一方の台車１１Ｂに近い一端には、スプロケット２２が一体に設けられている。一方の台車１１Ｂには、ブラシ回転モータ２３が設けられており、このブラシ回転モータ２３の出力軸に設けられたスプロケット２４と前記スプロケット２２には無端状のチエン２５が巻き掛けられている。そして、ブラシ回転モータ２３の駆動によれば、トップブラシ１３の回転支持軸２１が回転駆動される。
【００２１】
また、図２に示すように、他方の台車１１Ａを案内するガイドレール８の下部と上部には、この台車１１Ａが下限位置にあることを検出する下限検出スイッチ２６と、台車１１Ａが上限位置にあることを検出する上限検出スイッチ２７とがそれぞれ設けられている。
【００２２】
図１，３に示すように、走行フレーム２の往行方向後側の上部には、その走行フレーム２の左右方向に延びる案内レール３１が支持され、この案内レール３１の上部および下部には山形レール３１Ａ，３１Ｂが固定されている。案内レール３１には、左右一対の台車３２Ｌ，３２Ｒがそれぞれ往復走行可能に支持され、各台車３２Ｌ，３２Ｒの上部には、山形レール３１Ａ上を転動する駆動輪３３および遊輪３４が回転可能に支持され、また各台車３２Ｌ，３２Ｒの下部には、山形レール３１Ｂ上を転動する一対の遊輪３５，３５が回転可能に支持されている。各台車３２Ｌ，３２Ｒには、トルクモータ３６Ｌ，３６Ｒがそれぞれ支持され、これらのトルクモータ３６Ｌ，３６Ｒの出力軸に前記駆動輪３３，３３がそれぞれ連結されている。
【００２３】
しかして、各トルクモータ３６Ｌ，３６Ｒを駆動すれば、各台車３２Ｌ，３２Ｒをそれぞれ案内レール３１に沿って往復走行させることができる。
【００２４】
図１，３に示すように、各台車３２Ｌ，３２Ｒの中間部には、横方向に延びる支持軸３７がそれぞれ固定され、これらの支持軸３７には、ブラシ支持筒３８が軸受を介してそれぞれ左右方向に揺動可能に支持されている。ブラシ支持筒３８は上下方向に延びており、その下部には、上下方向に延びる回転軸３９が回転自在に支持され、その回転軸３９には、後に詳述するサイドブラシ４０が設けられている。
【００２５】
図１，３に示すように、各ブラシ支持筒３８の上部には、モータベース４１が固定され、そのモータベース４１には、回転モータ４２が設けられている。回転モータ４２の出力軸に設けたスプロケット４３と前記回転軸３９の上端に設けたスプロケット４４間には無端状のチエン４５が掛け渡されている。
【００２６】
しかして、回転モータ４２を駆動して、後述のサイドブラシ４０を回転させることができる。
【００２７】
図３に示すように、台車３２Ｌ，３２Ｒには、支持軸３７よりも上部で、ブラシ支持筒３８の両側においてストッパー４６，４７がそれぞれ設けられている。各ブラシ支持筒３８は、ストッパー４６，４７の間において揺動できるようになっており、ブラシ支持筒３８がストッパー４６に当たると、サイドブラシ４０が鉛直位置（図３の位置）になり、またブラシ支持筒３８がストッパー４７に当たると、サイドブラシ４０が傾斜位置になるようにされている。
【００２８】
案内レール３１の中央部には、台車３６Ｌ，３６Ｒがそれぞれ閉じた位置（図３位置）にあることを検出する閉スイッチ４８Ｌ，４８Ｒが設けられ、また案内レール３１の左右側部には、台車３６Ｌ，３６Ｒがそれぞれ開いた位置にあることを検出する開スイッチ４９Ｌ，４９Ｒが設けられている。
【００２９】
図１に示すように、洗車機の設置面上には、スタート位置カム５２が設けられ、一方、走行フレーム２には、そのスタート位置カム５２に当たって洗車機本体１がスタート位置にあることを検出するスタート位置検出スイッチ５３が設けられている。
【００３０】
図１，２に示すように、走行フレーム２のトップブラシ１３よりも前部には、自動車Ｖ（図１１参照）の上面位置を検出する車両上面位置検出手段５４が設けられている。この車両上面位置検出手段５４は、走行フレーム２の左右両側で上下方向にそれぞれ配列される、第１の光電センサ群５４Ａ，５４Ｂ，５４Ｃ・・・・５４Ｎと、第２の光電センサ群５４Ａ′，５４Ｂ′，５４Ｃ′・・・・５４Ｎ′とより構成されており、第１の光電センサ群５４Ａ，５４Ｂ，５４Ｃ・・・・５４Ｎ群はそれぞれ投光器であり、第２の光電センサ群５４Ａ′，５４Ｂ′，５４Ｃ′・・・・５４Ｎ′はそれぞれ受光器である。
【００３１】
そして、図２中、２点鎖線Ｌは、第１の光電センサ５４Ａと第２の光電センサ５４Ａ′間の光軸を示している。
【００３２】
図１に示すように、走行フレーム２の前面には、この洗車機を作動制御するための制御盤５５が設けられており、この制御盤５５内には、フレーム２に設けられる洗車機器を制御する制御装置５６が設けられている。
【００３３】
図１中、符号５７は、自動車Ｖの車体上面に乾燥エアーを吹き付けるためのトップノズル、符号５８，５８は、自動車Ｖの車体両側面に乾燥エアーを吹き付けるための一対のサイドノズルである。
【００３４】
なお、図示しないが、走行フレーム２には、自動車Ｖに洗浄水を噴射する、従来公知の洗浄水噴射装置が設けられている。
【００３５】
つぎに、図２に、図４，６〜９を併せ参照して本発明にかかるトップブラシ１３の構造について説明する。
【００３６】
トップブラシ１３は、左右の台車１１Ｌ，１１Ｒに固定のトップブラシ支持軸１２と、この支持軸１２に軸受を介して回転自在に支持される、パイプよりなる回転支持軸２１と、この回転支持軸２１にリベットＲで固定される複数の洗浄体ユニット６０とより構成されており、各洗浄体ユニット６０は、第１の洗浄体６１Ａと第２の洗浄体６１Ｂとこれら第１，第２の洗浄体６１Ａ，６１Ｂより小径の芯材８１とを備えており、円筒状の取付部６２と、その取付部６２に着脱可能に連結される円板状の押え板６３とにより回転支持軸２１に軸方向に間隔をおいて固定される。
【００３７】
図４，７に示すように、第１の洗浄体６１Ａは不織布より円盤状に形成され、その放射方向に複数の山折と谷折とを交互に有して周方向に波状に形成されてなる洗浄体素材６４を、複数枚（本実施例では３枚）重ね、その一側面に図９に示すように、他の洗浄体素材６５を少なくとも１枚（本実施例では１枚）重ねて、それらを図７、８に示すＮ２，Ｎ３位置で同心円状に縫合して構成されている。
【００３８】
この第１の洗浄体６１Ａの作り方について説明すると、図６に示すように、不織布よりなる矩形状の洗浄体素材６４の両端Ｎ１，Ｎ１を縫合してリング状にする。つぎに、リング状の洗浄体素材６４を図６に示す複数位置で山折と谷折りして、図７に示すように円盤状にする。
【００３９】
つぎに、図８，９に示すように、洗浄体素材６４を複数枚（本実施例では３枚）重合させ、その重合体の一側面に図９に示すように、他の洗浄体素材６５を少なくとも１枚（本実施例では１枚）重ねた状態で、それらを図７、８に示すＮ２、Ｎ３位置で同心状に縫合する。
【００４０】
つぎに、ビク型（トムソン型）で円形Ｃに切断し、複数のボルト穴Ｈ１を明けることで作られる。
【００４１】
他の洗浄体素材６５は、図８に示すように、平板状の不織布をビク型（トムソン型）で、前記洗浄体素材６４の円形Ｃと同じ外形寸法になるように円形に切断する。つぎに、取付穴Ｈ２と、その外周部に周方向に間隔をあけて複数のボルト穴Ｈ１を明けることで作られる。
【００４２】
また、第２の洗浄体６１Ｂは、第１の洗浄体６１Ａが洗浄体素材６４を複数枚（本実施例では３枚）重ねるのに変えて、洗浄体素材６４を、第１の洗浄体６１Ａとは異なる複数枚（本実施例では２枚）重ねるところが相違し、他は第１の洗浄体６１Ａと同様に作られる。
【００４３】
前記芯材８１は、本発明の発泡体製洗浄体を構成するものであって、合成樹脂発泡体シート（例えば本実施例では、厚さ３．５ミリメートルの単泡スポンジシート）で作られる。この芯材８１の作り方について説明すると、図１０に示すように、ビク型（トムソン型）で、円形Ｃの外形寸法よりも小さい円形Ｄに切断する。つぎに、取付穴Ｈ２と、その外周部に周方向に間隔をあけて複数のボルト穴Ｈ１を明ける。つぎに、取付穴Ｈ２から外周まで、即ちこの芯材８１の内周から外周に亘る切り込み８２を作り、さらに芯材８１の外周部には、比較的浅い深さ（例えば本実施例では約１０ミリメートル）の複数の切り込み８３を周方向に間隔をおいて入れることで作られる。
【００４４】
芯材８１の腰が弱くなったときに、前記切り込み８２により、後述する複数のボルト・ナットを外せば、芯材８１を新しいものに取り替えることができる。
【００４５】
つぎに、前述のようにして作られた、第１の洗浄体６１Ａおよび第２の洗浄体６１Ｂと芯材８１とよりなる洗浄体ユニット６０の作り方について説明する。
【００４６】
１つの第１の洗浄体６１Ａと、１つの第２の洗浄体６１Ｂと、１つの芯材８１を用意し、図４に示すように、第１、第２の洗浄体６１Ａ、６１Ｂの、平板状の他の洗浄体素材６５が両外側になるようにして、芯材８１を第１、第２の洗浄体６１Ａ、６１Ｂで挟むように積層し、それら第１の洗浄体６１Ａと第２の洗浄体６１Ｂと芯材８１の積層体の内周部を、取付部６２の外周に一体に突設したフランジ部６２Ｆと、取付部６２の外周に嵌合した押え板６３との間に重ねるように挟持し、それらを複数のボルト・ナット６６で固定する。
【００４７】
図４に示すように、第１の洗浄体６１Ａと第２の洗浄体６１Ｂと芯材８１とよりなる洗浄体ユニット６０は、回転支持軸２１に取り付けた状態で、回転支持軸２１の回転軸線と直交する直角面に対して傾斜角度β（約２０度）傾斜している。
【００４８】
つぎに、図１，３に図５を併せ参照して本発明にかかるサイドブラシ４０の構造について説明する。
【００４９】
このサイドブラシ４０は、下段サイドブラシ４０Ａおよび上段サイドブラシ４０Ｂを、前記回転軸３９に固定した、パイプよりなる回転支持軸６７に縦列固定して構成されている。
【００５０】
下段サイドブラシ４０Ａおよび上段サイドブラシ４０Ｂはそれぞれ洗浄体ユニットが別の構造を備えており、そのうち下段サイドブラシ４０Ａは、図５に示すように、回転支持軸６７に、トップブラシ１３の前記洗浄体ユニット６０と同じ構造で外形寸法が相違（本実施例では洗浄体ユニット６０よりも若干小径）の洗浄体ユニット６０Ａと、スポンジ円盤６８とを軸方向に交互に且つ間隔をおいて取り付けて構成されている。スポンジ円盤６８は、その中央部に前記取付部６２のボス部６２Ａの外形寸法よりも若干小さい取付穴６９が斜めに明けられており、このスポンジ円盤６８は、それの弾性により取付穴６９とボス部６２Ａとの間に働く摩擦力で、ボス部６２Ａの所定位置に固定されている。
【００５１】
さらに、前記上段サイドブラシ４０Ｂは、回転支持軸６７に、トップブラシ１３の前記洗浄体ユニット６０と同じ構造で、外形寸法が相違する複数の洗浄体ユニット６０Ｂを軸方向に間隔をおいて取り付けて構成されており、それらの洗浄体ユニット６０Ｂの回転支持軸６７に対する取付角は、洗浄体ユニット６０Ａと同じである。
【００５２】
つぎに、主に、図１１を参照して、この実施例の作用について説明する。
【００５３】
洗車機に設けた、図示しないスタートキーが押されると、洗車機本体１はスタート位置から往走行する。この往走行時に、トップブラシ１３およびサイドブラシ４０，４０で被洗浄車両、この実施例では自動車Ｖの車体面を洗浄する。このとき、トップブラシ１３は、図１１に示す矢印方向すなわち反時計方向に回転する。サイドブラシ４０は、図１３で左側のサイドブラシ４０が上から見て反時計方向に、また図１３で右側のサイドブラシ４０が上から見て時計方向にそれぞれ回転する。
【００５４】
トップブラシ１３は、車両上面検出手段５４で検出した車両上面位置と、ロータリエンコーダ５１で検出した洗車機本体１の走行位置と、ロータリエンコーダ２８で検出したトップブラシ１３の昇降位置とにより、トップブラシ１３の回転軸線から車両上面までの距離Ｓ（図１４参照）を一定として車両上面に追従するように、昇降モータ１４を制御することで昇降される。尚、図１４の（Ａ）は、洗浄体ユニット６０の盤面が車両上面に対し最大限（即ち約２０度）傾斜している状態（後述する図１５の（Ａ）（Ｅ）の状態）を示しており、また図１４の（Ｂ）は、洗浄体ユニット６０の盤面が車両上面に対し直交している状態（後述する図１６の（Ｃ）（Ｇ）の状態）を示しているが、その何れの状態でも芯材８１の外周端は、車両上面の近傍である洗浄ブラシの車体との接触部まで延出している。
【００５５】
一方、サイドブラシ４０，４０は、トルクモータ３６Ｌ，３６Ｒを制御することで、一定の押付力で車体側面に接触する。
【００５６】
ところで、トップブラシ１３による自動車Ｖの洗浄過程において、トップブラシ１３の回転により、図１２（Ａ），（Ｂ）に示すように、洗浄体素材６４，６５の外周部が、自動車Ｖの車体面上を左右に移動する。この左右移動により、洗浄体素材６４，６５の先端（即ち外周端）は、図１７に示すようにトップブラシ１３の進行方向に向かって回転支持軸２１の軸方向一方側又は他方側（図１７で上方側又は下方側）の斜め方向ａ，ｂに車体面に対し擦り移動する。そして、この斜め方向ａ、ｂの擦り移動により車体面に対する洗浄効果を向上させることができる。
【００５７】
図１７において、洗浄体素材６４，６５の先端は、移動方向ａ，ｂで示す方向に移動し、その移動方向は範囲ａｍ〜ｂｍ間で変化する。
【００５８】
次に、主に、図１５，１６を参照して、車体面に対し洗浄体素材６４，６５の外周部（先端部）が、トップブラシ１３の進行方向に対して斜め左右方向ａ，ｂに擦り移動する作用を説明する。
【００５９】
図１５（Ａ）は、洗浄体ユニット６０の盤面が車体上面に対し最大傾斜角度（即ち２０度）傾斜しているときを示す。この状態をトップブラシ１３の回転の基点０度とする。
【００６０】
このとき、洗浄体ユニット６０の車体上面に接触している外周部は、（Ａ）正面図、平面図に示すように右に曲がる。（尚、この右に曲がる作用は後述する。）
この状態では、トップブラシ１３の回転により、（Ａ）左側面図に示す洗浄体ユニット６０の車体上面との接触部は、アの範囲においては平面図でブラシ進行方向に向かって斜め右方向すなわち矢印ａ方向へ移動し、またイの範囲においては平面図でブラシ進行方向に向かって斜め左方向すなわち矢印ｂ方向へ移動する。
【００６１】
また、この状態では、トップブラシ１３の回転による洗浄体ユニット６０と車体上面との摩擦により、平面図に示す洗浄体ユニット６０の車体上面との接触部のウ部付近が右方向へ移動し難くなることと、トップブラシ１３の回転による洗浄体ユニット６０のエ部付近の遠心力でエ部付近が（Ａ）正面図、平面図で右方向へ曲がり、この曲がりと前記ア、イ範囲の接触部の曲がりとが干渉することとで、オ部が（Ａ）正面図、平面図で左方向へ脹らみ、このオ部の脹らみにより、ア範囲にある接触部は平面図で左方向すなわち矢印ｂ方向へ移動する。このとき、ア、イ範囲にある接触部は、トップブラシ１３が仮に車体上面と接触せずに自由状態で回転した場合に前記ア、イ範囲にある洗浄体ユニット６０の部分が占める位置付近まで移動するので、矢印ｂ方向の、トップブラシ１３の進行方向に対する角度αは大きくなる。
【００６２】
そして、トップブラシ１３がさらに回転すると、前記エ部は、遂にはトップブラシ１３の回転による遠心力で右方へ曲げる力に抗して、（Ｂ）正面図、平面図に示すように左方へ曲がり、その曲がり状態で車体上面と接触する。このとき、前記エ部は、（Ｂ）正面図、平面図に示すように、洗浄体ユニット６０の外周部（先端部）の腰とこの外周部より中心側の腰により、トップブラシ１３が仮に車体上面と接触せずに自由状態で回転した場合に前記エ部が占める位置よりも左側の位置に保持される。
【００６３】
尚、オ部が膨らむことは、基点０度の位置のみで起きるのではなく基点０度の近傍の回転位置でも起きる。
【００６４】
前記基点（Ａ）から４５度回転した（Ｂ）の回転位置までトップブラシ１３が回転すると、（Ｂ）左側面図に示す洗浄体ユニット６０の車体上面との接触部は、カの範囲においては平面図で斜め左方向すなわち矢印ｂ方向へ移動し、またキの範囲においては平面図で斜め右方向すなわち矢印ａ方向へ移動する。
【００６５】
そして、トップブラシ１３が前記（Ｂ）から更に４５度回転して（Ｃ）になると、（Ｃ）左側面図に示す洗浄体ユニット６０の車体上面との接触部は、クの範囲においては平面図で斜め左方向すなわち矢印ｂ方向へ移動し、またケの範囲においては平面図で斜め右方向すなわち矢印ａ方向へ移動する。
【００６６】
次いで、トップブラシ１３が前記（Ｃ）から更に４５度回転して（Ｄ）になると、（Ｄ）左側面図に示す洗浄体ユニット６０の車体上面との接触部は、コの範囲においては平面図で斜め左方向すなわち矢印ｂ方向へ移動し、またサの範囲においては平面図で斜め右方向すなわち矢印ａ方向へ移動する。
【００６７】
次いで、トップブラシ１３が前記（Ｄ）から更に４５度回転して（Ｅ）になると、（Ｅ）左側面図に示す洗浄体ユニット６０の車体上面との接触部は、シの範囲においては平面図で斜め左方向すなわち矢印ｂ方向へ移動し、またスの範囲においては平面図で斜め右方向すなわち矢印ａ方向へ移動する。
【００６８】
この（Ｅ）の状態では、トップブラシ１３の回転による洗浄体ユニット６０と車体上面との摩擦により、平面図に示す洗浄体ユニット６０の車体上面との接触部のセ部付近が左方向へ移動し難くなることと、トップブラシ１３の回転による洗浄体ユニット６０のソ部付近の遠心力でソ部付近が（Ｅ）正面図、平面図で左方向へ曲がり、この曲がりと前記シ、ス範囲の接触部の曲がりとが干渉することとで、タ部が（Ｅ）正面図、平面図で右方向へ脹らみ、このタ部の脹らみにより、シ範囲にある接触部は平面図で右方向すなわち矢印ａ方向へ移動する。このとき、シ、ス範囲にある接触部は、トップブラシ１３が仮に車体上面と接触せずに自由状態で回転した場合に前記シ、ス範囲にある洗浄体ユニット６０の部分が占める位置付近まで移動するので、矢印ａ方向の、トップブラシ１３の進行方向に対する角度αは大きくなる。
【００６９】
そして、トップブラシ１３がさらに回転すると、前記ソ部は、遂にはトップブラシ１３の回転による遠心力で左方へ曲げる力に抗して、（Ｆ）正面図、平面図に示すように右方へ曲がり、その曲がり状態で車体上面と接触する。このとき、前記ソ部は、（Ｆ）正面図、平面図に示すように、洗浄体ユニット６０の外周部（先端部）の腰とこの外周部より中心側の腰により、トップブラシ１３が仮に車体上面と接触せずに自由状態で回転した場合に前記ソ部が占める位置よりも右側の位置に保持される。
【００７０】
尚、タ部が膨らむことは、基点から１８０度の回転位置のみで起きるのではなく、その１８０度の近傍の回転位置でも起きる。
【００７１】
前記（Ｅ）から４５度回転した（Ｆ）の回転位置までトップブラシ１３が回転すると、（Ｆ）左側面図に示す洗浄体ユニット６０の車体上面との接触部は、チ範囲においては平面図で斜め右方向すなわち矢印ａ方向へ移動し、またツ範囲においては平面図で斜め左方向すなわち矢印ｂ方向へ移動する。
【００７２】
そして、トップブラシ１３が前記（Ｆ）から更に４５度回転して（Ｇ）になると、（Ｇ）左側面図に示す洗浄体ユニット６０の車体上面との接触部は、テの範囲においては平面図で斜め右方向すなわち矢印ａ方向へ移動し、またトの範囲においては平面図で左方向すなわち矢印ｂ方向へ移動する。
【００７３】
次いで、トップブラシ１３が前記（Ｇ）から更に４５度回転して（Ｈ）になると、（Ｈ）左側面図に示す洗浄体ユニット６０の車体上面との接触部は、ナの範囲においては平面図で斜め右方向すなわち矢印ａ方向へ移動し、またニの範囲においては平面図で斜め左方向すなわち矢印ｂ方向へ移動する。
【００７４】
そして、トップブラシ１３が前記（Ｈ）から更に４５度回転して前記（Ａ）の回転位置に戻る。
【００７５】
以上において、前記芯材８１が設けられない場合は、洗車台数の増加にしたがって洗浄素材６４，６５の車体上面との接触部の腰が減少すると、例えば図１５（Ｂ）のときに、カ範囲にある洗浄体ユニット６０の車体上面との接触部が矢印ｂ方向に移動する距離が小さくなる。また、前記カ範囲の接触部よりも中心側の腰が減少すると、例えば図１５（Ｂ）のときに、その中心側は、トップブラシ１３が仮に車体上面と接触せずに自由状態で回転した場合にその中心側が占める位置よりも右側へ移動する。これにより、その接触部が矢印ｂ方向に移動する距離がさらに小さくなり、すなわち、矢印ｂの前記角度αは小さくなる。また、前記のように矢印ｂ方向に移動する距離が小さいので、キ範囲にある洗浄体ユニット６０の車体上面との接触部が矢印ａ方向に移動する前記角度αは小さくなる。このように、他の回転角度のときも矢印ａ、ｂの角度αは小さくなる。
【００７６】
これに対して、前記芯材８１があると、洗車台数の増加にしたがって洗浄素材６４，６５の腰が減少しても、芯材８１の弾力により、洗浄ブラシの進行方向に対する洗浄素材６４，６５の先端部の左右方向への移動を助勢することができる。
【００７７】
すなわち、カ範囲にある洗浄体ユニット６０の車体上面との接触部が矢印ｂ方向に移動するのを芯材８１が助勢するので、その移動距離が大きくなる。また、前記カ範囲の接触部よりも中心側の腰が減少しても、芯材８１の弾力により、その中心側は、トップブラシ１３が仮に車体上面と接触せずに自由状態で回転した場合にその中心側が占める位置よりも右側へ移動する距離が小さくなる。
【００７８】
これにより、その接触部が矢印ｂ方向に移動する距離がさらに大きくなり、すなわち、矢印ｂの前記角度αは大きくなる。また、前記のように矢印ｂ方向に移動する距離が大きいので、キ範囲にある洗浄体ユニット６０の車体上面との接触部が矢印ａ方向に移動する前記角度αは大きくなる。このように、他の回転角度のときも矢印ａ、ｂの角度αは大きくなる。
【００７９】
かくして、洗車台数の増加にしたがって布製洗浄体６１Ａ，６１Ｂの腰（弾力）が減少して、トップブラシ１３の被洗浄車両に対する進行方向に対して布製洗浄体６１Ａ，６１Ｂと車体面との接触部の移動方向角度（α）が小さくなり洗浄効果が低下することを、芯材８１を用いた簡単な構造で低減することができる。
【００８０】
サイドブラシ４０，４０は、洗浄体素材６４と他の洗浄体素材６５の外周部が上下に移動する。これにより、トップブラシ１３と同様の効果を生じる。
【００８１】
また、下段サイドブラシ４０Ａは、図５に明瞭に示すように、洗浄体ユニット６０Ａとスポンジ円盤６８とが交互に配設されるので、自動車Ｖの車体がサイドブラシ４０の回転支持軸６７に近づき過ぎるのを防止して、洗浄体素材６４、他の洗浄体素材６５や車体が傷むことを防止できる。
【００８２】
さらに中段サイドブラシ４０Ｂの中間部ブラシ４０Ｂｎは、発泡体により構成したので、ドアミラーＭやフェンダミラーなどの車体の上下方向の中間部分より突出する付属機器が破損するのを防止できる。
【００８３】
以上、本発明の実施例について説明したが、本発明はその実施例に限定されることなく、本発明の範囲内で種々の実施例が可能である。
【００８４】
たとえば、前記実施例では、本発明を、被洗浄車両に対し洗車機本体１を走行させる洗車機に実施した場合を説明したが、コンベアなどの移送手段により被洗浄車両を移送する洗車機にも実施できる。
【００８５】
また前記実施例では、発泡体製洗浄体としての芯材８１を洗浄体６１Ａ，６１Ｂに密着状態で隣接配置したものを示したが、本発明では、発泡体製洗浄体としての芯材８１で洗浄体６１Ａ，６１Ｂに、本発明の効果を達成可能な十分な弾力を付与できるのであれば、芯材８１を洗浄体６１Ａ，６１Ｂに小間隔をおいて隣接配置してもよい。
【００８６】
また前記実施例では、発泡体製洗浄体としての芯材８１の両側に布製洗浄体６１Ａ，６１Ｂを配置するものを示したが、本発明では、発泡体製洗浄体としての芯材を布製洗浄体の両側に配置するようにしてもよい。
【００８７】
また、本発明は、布製洗浄体を構成する洗浄体素材６４，６５に不織布を用いたが、これに代えて織布、編布などの他の布を用いることができる。
【符号の説明】
【００８８】
２・・・・・・フレーム（走行フレーム）
１３・・・・・・洗浄ブラシ（トップブラシ）
２１・・・・・・回転支持軸
４０・・・・・・洗浄ブラシ（サイドブラシ）
６１Ａ・・・・・洗浄体（第１の洗浄体）
６１Ｂ・・・・・洗浄体（第２の洗浄体）
６７・・・・・・回転支持軸
８１・・・・・・発泡体製洗浄体（芯材）
【図１】
0005908242.tif 000002
【図２】
0005908242.tif 000003
【図３】
0005908242.tif 000004
【図４】
0005908242.tif 000005
【図５】
0005908242.tif 000006
【図６】
0005908242.tif 000007
【図７】
0005908242.tif 000008
【図８】
0005908242.tif 000009
【図９】
0005908242.tif 000010
【図１０】
0005908242.tif 000011
【図１１】
0005908242.tif 000012
【図１２】
0005908242.tif 000013
【図１３】
0005908242.tif 000014
【図１４】
0005908242.tif 000015
【図１５】
0005908242.tif 000016
【図１６】
0005908242.tif 000017
【図１７】
0005908242.tif 000018